(57)【要約】【課題】周波数選択板を組み込んだ物体に対してレーダから特定の周波数の電波を放射した際の当該物体の性能を解析する周波数選択板組込物体性能解析装置等を提供することを課題とする。【解決手段】本発明にかかる周波数選択板組込物体性能解析装置、周波数選択板組込物体性能解析方法、プログラム、および、記録媒体は、レーダ走査角度を設定し、レーダ走査角度に基づいて電界ベクトルを算出し、レーダに含まれる素子の中から１つの素子を設定し、素子の位置およびレーダ走査角度に基づいて物体に対する入射角度を算出し、入射角度に基づいて予め格納した物体の各位置における各入射角度に対応する電力透過率および／または電力反射率の中から当該物体の当該入射角度に対応する電力透過率および／または電力反射率を取得し、取得した各素子に対応する当該物体の電力透過率および／または電力反射率を予め定められた統合手法に基づいて統合する。【選択図】        図１
2005274341.tif 000002
【特許請求の範囲】
【請求項１】
周波数選択板を組み込んだ物体に対して複数の素子を含むレーダから特定の周波数の電波を放射した際の、上記周波数選択板を組み込んだ上記物体の性能を解析する周波数選択板組込物体性能解析装置において、
上記周波数選択板を組み込んだ上記物体の各位置に対して複数の入射角度で上記レーダから上記電波を放射した際の、上記周波数選択板を組み込んだ上記物体の各上記位置における各上記入射角度に対応する電力透過率および／または電力反射率を格納する電力透過率・反射率格納手段と、
上記レーダが上記電波を放射する方向を示すレーダ走査角度を設定するレーダ走査角度設定手段と、
上記レーダ走査角度設定手段にて設定した上記レーダ走査角度に基づいて、上記レーダから放射した上記電波に対応する電界ベクトルを算出する電界ベクトル算出手段と、
上記レーダに含まれる上記複数の上記素子の中から１つの上記素子を設定する素子設定手段と、
上記素子設定手段にて設定した上記素子の位置、および、上記レーダ走査角度設定手段にて設定した上記レーダ走査角度に基づいて、上記素子設定手段にて設定した上記素子から放射した上記電波の上記周波数選択板を組み込んだ上記物体に対する入射角度を算出する入射角度算出手段と、
上記入射角度算出手段にて算出した上記周波数選択板を組み込んだ上記物体に対する上記入射角度に基づいて、上記電力透過率・反射率格納手段にて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得する電力透過率・反射率取得手段と、
上記電力透過率・反射率取得手段にて取得した各上記素子に対応する上記周波数選択板を組み込んだ上記物体の上記電力透過率および／または上記電力反射率を予め定められた統合手法に基づいて統合する電力透過率・反射率統合手段と、
を備えたことを特徴とする周波数選択板組込物体性能解析装置。
【請求項２】
上記入射角度算出手段は、
上記レーダ走査角度設定手段にて設定した上記レーダ走査角度に基づいて、上記素子設定手段にて設定した上記素子から放射した上記電波の方向ベクトルを算出する電波方向ベクトル算出手段と、
上記電波方向ベクトル算出手段にて算出した上記電波の上記方向ベクトルを持ち、上記素子設定手段にて設定した上記素子の上記位置を通過する直線と、上記周波数選択板を組み込んだ上記物体との交点を算出する物体交点算出手段と、
上記物体交点算出手段にて算出した上記周波数選択板を組み込んだ上記物体の上記交点における法線ベクトルを算出する法線ベクトル算出手段と、
をさらに備え、
上記法線ベクトル算出手段にて算出した上記法線ベクトル、および、上記電波方向ベクトル算出手段にて算出した上記電波の上記方向ベクトルに基づいて、上記素子設定手段にて設定した上記素子から放射した上記電波の上記周波数選択板を組み込んだ上記物体に対する上記入射角度を算出すること、
を特徴とする請求項１に記載の周波数選択板組込物体性能解析装置。
【請求項３】
上記電力透過率・反射率取得手段は、
上記入射角度算出手段にて算出した上記周波数選択板を組み込んだ上記物体に対する上記入射角度に基づいて、上記電力透過率・反射率格納手段にて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、当該入射角度に近い２つ以上の上記入射角度に対応する上記周波数選択板を組み込んだ上記物体の上記電力透過率および／または上記電力反射率の補間値を予め定められた補間手法に基づいて計算する補間値計算手段、
をさらに備え、
上記補間値計算手段にて計算した上記周波数選択板を組み込んだ上記物体の当該入射角度に対応する上記電力透過率および／または上記電力反射率の上記補間値を取得すること、
を特徴とする請求項１または２に記載の周波数選択板組込物体性能解析装置。
【請求項４】
上記補間手法は、
ラグランジュ補間、スプライン補間、離散データ補間のうち少なくとも１つの手法であること、
を特徴とする請求項３に記載の周波数選択板組込物体性能解析装置。
【請求項５】
上記電力透過率・反射率取得手段は、
上記入射角度算出手段にて算出した上記周波数選択板を組み込んだ上記物体に対する上記入射角度に基づいて、上記電力透過率・反射率格納手段にて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、上記周波数選択板を組み込んだ上記物体の当該入射角度に対応する上記電力透過率および／または上記電力反射率を予め定められた計算手法に基づいて計算する電力透過率・反射率計算手段、
をさらに備え、
上記電力透過率・反射率計算手段にて計算した上記周波数選択板を組み込んだ上記物体の当該入射角度に対応する上記電力透過率および／または上記電力反射率を取得すること、
を特徴とする請求項１または２に記載の周波数選択板組込物体性能解析装置。
【請求項６】
上記計算手法は、
モーメント法、スペクトラルドメイン法、ＦＤＴＤ法、ＦＥＭ法のうち少なくとも１つの手法であること、
を特徴とする請求項５に記載の周波数選択板組込物体性能解析装置。
【請求項７】
上記統合手法は、
各上記素子の開口分布に応じて各上記素子に対応する上記周波数選択板を組み込んだ上記物体の上記電力透過率および／または上記電力反射率の重み付け平均をとる手法、および／または、各上記素子から放射する上記電波の位相を考慮して各上記素子に対応する上記周波数選択板を組み込んだ上記物体の上記電力透過率および／または上記電力反射率の和をとる手法であること、
を特徴とする請求項１〜６のいずれか１つに記載の周波数選択板組込物体性能解析装置。
【請求項８】
上記電力透過率・反射率統合手段にて統合した上記周波数選択板を組み込んだ上記物体の上記電力透過率および／または上記電力反射率を含む解析結果を出力する解析結果出力手段、
を備えたことを特徴とする請求項１〜７のいずれか１つに記載の周波数選択板組込物体性能解析装置。
【請求項９】
上記物体は、レドームまたは電磁窓であること、
を特徴とする請求項１〜８のいずれか１つに記載の周波数選択板組込物体性能解析装置。
【請求項１０】
周波数選択板を組み込んだ物体に対して複数の素子を含むレーダから特定の周波数の電波を放射した際の、上記周波数選択板を組み込んだ上記物体の性能を解析する周波数選択板組込物体性能解析方法において、
上記周波数選択板を組み込んだ上記物体の各位置に対して複数の入射角度で上記レーダから上記電波を放射した際の、上記周波数選択板を組み込んだ上記物体の各上記位置における各上記入射角度に対応する電力透過率および／または電力反射率を格納する電力透過率・反射率格納ステップと、
上記レーダが上記電波を放射する方向を示すレーダ走査角度を設定するレーダ走査角度設定ステップと、
上記レーダ走査角度設定ステップにて設定した上記レーダ走査角度に基づいて、上記レーダから放射した上記電波に対応する電界ベクトルを算出する電界ベクトル算出ステップと、
上記レーダに含まれる上記複数の上記素子の中から１つの上記素子を設定する素子設定ステップと、
上記素子設定ステップにて設定した上記素子の位置、および、上記レーダ走査角度設定ステップにて設定した上記レーダ走査角度に基づいて、上記素子設定ステップにて設定した上記素子から放射した上記電波の上記周波数選択板を組み込んだ上記物体に対する入射角度を算出する入射角度算出ステップと、
上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得する電力透過率・反射率取得ステップと、
上記電力透過率・反射率取得ステップにて取得した各上記素子に対応する上記周波数選択板を組み込んだ上記物体の上記電力透過率および／または上記電力反射率を予め定められた統合手法に基づいて統合する電力透過率・反射率統合ステップと、
を含むことを特徴とする周波数選択板組込物体性能解析方法。
【請求項１１】
上記入射角度算出ステップは、
上記レーダ走査角度設定ステップにて設定した上記レーダ走査角度に基づいて、上記素子設定ステップにて設定した上記素子から放射した上記電波の方向ベクトルを算出する電波方向ベクトル算出ステップと、
上記電波方向ベクトル算出ステップにて算出した上記電波の上記方向ベクトルを持ち、上記素子設定ステップにて設定した上記素子の上記位置を通過する直線と、上記周波数選択板を組み込んだ上記物体との交点を算出する物体交点算出ステップと、
上記物体交点算出ステップにて算出した上記周波数選択板を組み込んだ上記物体の上記交点における法線ベクトルを算出する法線ベクトル算出ステップと、
をさらに含み、
上記法線ベクトル算出ステップにて算出した上記法線ベクトル、および、上記電波方向ベクトル算出ステップにて算出した上記電波の上記方向ベクトルに基づいて、上記素子設定ステップにて設定した上記素子から放射した上記電波の上記周波数選択板を組み込んだ上記物体に対する上記入射角度を算出すること、
を特徴とする請求項１０に記載の周波数選択板組込物体性能解析方法。
【請求項１２】
上記電力透過率・反射率取得ステップは、
上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、当該入射角度に近い２つ以上の上記入射角度に対応する上記周波数選択板を組み込んだ上記物体の上記電力透過率および／または上記電力反射率の補間値を予め定められた補間手法に基づいて計算する補間値計算ステップ、
をさらに含み、
上記補間値計算ステップにて計算した上記周波数選択板を組み込んだ上記物体の当該入射角度に対応する上記電力透過率および／または上記電力反射率の上記補間値を取得すること、
を特徴とする請求項１０または１１に記載の周波数選択板組込物体性能解析方法。
【請求項１３】
上記補間手法は、
ラグランジュ補間、スプライン補間、離散データ補間のうち少なくとも１つの手法であること、
を特徴とする請求項１２に記載の周波数選択板組込物体性能解析方法。
【請求項１４】
上記電力透過率・反射率取得ステップは、
上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、上記周波数選択板を組み込んだ上記物体の当該入射角度に対応する上記電力透過率および／または上記電力反射率を予め定められた計算手法に基づいて計算する電力透過率・反射率計算ステップ、
をさらに含み、
上記電力透過率・反射率計算ステップにて計算した上記周波数選択板を組み込んだ上記物体の当該入射角度に対応する上記電力透過率および／または上記電力反射率を取得すること、
を特徴とする請求項１０または１１に記載の周波数選択板組込物体性能解析方法。
【請求項１５】
上記計算手法は、
モーメント法、スペクトラルドメイン法、ＦＤＴＤ法、ＦＥＭ法のうち少なくとも１つの手法であること、
を特徴とする請求項１４に記載の周波数選択板組込物体性能解析方法。
【請求項１６】
上記統合手法は、
各上記素子の開口分布に応じて各上記素子に対応する上記周波数選択板を組み込んだ上記物体の上記電力透過率および／または上記電力反射率の重み付け平均をとる手法、および／または、各上記素子から放射する上記電波の位相を考慮して各上記素子に対応する上記周波数選択板を組み込んだ上記物体の上記電力透過率および／または上記電力反射率の和をとる手法であること、
を特徴とする請求項１０〜１５のいずれか１つに記載の周波数選択板組込物体性能解析方法。
【請求項１７】
上記電力透過率・反射率統合ステップにて統合した上記周波数選択板を組み込んだ上記物体の上記電力透過率および／または上記電力反射率を含む解析結果を出力する解析結果出力ステップ、
を含むことを特徴とする請求項１０〜１６のいずれか１つに記載の周波数選択板組込物体性能解析方法。
【請求項１８】
上記物体は、レドームまたは電磁窓であること、
を特徴とする請求項１０〜１７のいずれか１つに記載の周波数選択板組込物体性能解析方法。
【請求項１９】
周波数選択板を組み込んだ物体に対して複数の素子を含むレーダから特定の周波数の電波を放射した際の、上記周波数選択板を組み込んだ上記物体の性能を解析する周波数選択板組込物体性能解析方法をコンピュータに実行させるプログラムにおいて、
上記周波数選択板を組み込んだ上記物体の各位置に対して複数の入射角度で上記レーダから上記電波を放射した際の、上記周波数選択板を組み込んだ上記物体の各上記位置における各上記入射角度に対応する電力透過率および／または電力反射率を格納する電力透過率・反射率格納ステップと、
上記レーダが上記電波を放射する方向を示すレーダ走査角度を設定するレーダ走査角度設定ステップと、
上記レーダ走査角度設定ステップにて設定した上記レーダ走査角度に基づいて、上記レーダから放射した上記電波に対応する電界ベクトルを算出する電界ベクトル算出ステップと、
上記レーダに含まれる上記複数の上記素子の中から１つの上記素子を設定する素子設定ステップと、
上記素子設定ステップにて設定した上記素子の位置、および、上記レーダ走査角度設定ステップにて設定した上記レーダ走査角度に基づいて、上記素子設定ステップにて設定した上記素子から放射した上記電波の上記周波数選択板を組み込んだ上記物体に対する入射角度を算出する入射角度算出ステップと、
上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得する電力透過率・反射率取得ステップと、
上記電力透過率・反射率取得ステップにて取得した各上記素子に対応する上記周波数選択板を組み込んだ上記物体の上記電力透過率および／または上記電力反射率を予め定められた統合手法に基づいて統合する電力透過率・反射率統合ステップと、
を含む周波数選択板組込物体性能解析方法をコンピュータに実行させることを特徴とするプログラム。
【請求項２０】
上記入射角度算出ステップは、
上記レーダ走査角度設定ステップにて設定した上記レーダ走査角度に基づいて、上記素子設定ステップにて設定した上記素子から放射した上記電波の方向ベクトルを算出する電波方向ベクトル算出ステップと、
上記電波方向ベクトル算出ステップにて算出した上記電波の上記方向ベクトルを持ち、上記素子設定ステップにて設定した上記素子の上記位置を通過する直線と、上記周波数選択板を組み込んだ上記物体との交点を算出する物体交点算出ステップと、
上記物体交点算出ステップにて算出した上記周波数選択板を組み込んだ上記物体の上記交点における法線ベクトルを算出する法線ベクトル算出ステップと、
をさらに含み、
上記法線ベクトル算出ステップにて算出した上記法線ベクトル、および、上記電波方向ベクトル算出ステップにて算出した上記電波の上記方向ベクトルに基づいて、上記素子設定ステップにて設定した上記素子から放射した上記電波の上記周波数選択板を組み込んだ上記物体に対する上記入射角度を算出すること、
を特徴とする請求項１９に記載のプログラム。
【請求項２１】
上記電力透過率・反射率取得ステップは、
上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、当該入射角度に近い２つ以上の上記入射角度に対応する上記周波数選択板を組み込んだ上記物体の上記電力透過率および／または上記電力反射率の補間値を予め定められた補間手法に基づいて計算する補間値計算ステップ、
をさらに含み、
上記補間値計算ステップにて計算した上記周波数選択板を組み込んだ上記物体の当該入射角度に対応する上記電力透過率および／または上記電力反射率の上記補間値を取得すること、
を特徴とする請求項１９または２０に記載のプログラム。
【請求項２２】
上記補間手法は、
ラグランジュ補間、スプライン補間、離散データ補間のうち少なくとも１つの手法であること、
を特徴とする請求項２１に記載のプログラム。
【請求項２３】
上記電力透過率・反射率取得ステップは、
上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、上記周波数選択板を組み込んだ上記物体の当該入射角度に対応する上記電力透過率および／または上記電力反射率を予め定められた計算手法に基づいて計算する電力透過率・反射率計算ステップ、
をさらに含み、
上記電力透過率・反射率計算ステップにて計算した上記周波数選択板を組み込んだ上記物体の当該入射角度に対応する上記電力透過率および／または上記電力反射率を取得すること、
を特徴とする請求項１９または２０に記載のプログラム。
【請求項２４】
上記計算手法は、
モーメント法、スペクトラルドメイン法、ＦＤＴＤ法、ＦＥＭ法のうち少なくとも１つの手法であること、
を特徴とする請求項２３に記載のプログラム。
【請求項２５】
上記統合手法は、
各上記素子の開口分布に応じて各上記素子に対応する上記周波数選択板を組み込んだ上記物体の上記電力透過率および／または上記電力反射率の重み付け平均をとる手法、および／または、各上記素子から放射する上記電波の位相を考慮して各上記素子に対応する上記周波数選択板を組み込んだ上記物体の上記電力透過率および／または上記電力反射率の和をとる手法であること、
を特徴とする請求項１９〜２４のいずれか１つに記載のプログラム。
【請求項２６】
上記電力透過率・反射率統合ステップにて統合した上記周波数選択板を組み込んだ上記物体の上記電力透過率および／または上記電力反射率を含む解析結果を出力する解析結果出力ステップ、
を含むことを特徴とする請求項１９〜２５のいずれか１つに記載のプログラム。
【請求項２７】
上記物体は、レドームまたは電磁窓であること、
を特徴とする請求項１９〜２６のいずれか１つに記載のプログラム。
【請求項２８】
上記請求項１９〜２７のいずれか１つに記載されたプログラムを記録したことを特徴とするコンピュータ読み取り可能な記録媒体。
【発明の詳細な説明】
【技術分野】
【０００１】
本発明は、周波数選択板組込物体性能解析装置、周波数選択板組込物体性能解析方法、プログラム、および、記録媒体に関し、特に、周波数選択板（ＦＳＳ：Ｆｒｅｑｕｅｎｃｙ  Ｓｅｌｅｃｔｉｖｅ  Ｓｕｒｆａｃｅ）を組み込んだ物体（例えばレドームや電磁窓など）に対して特定の周波数の電波を放射した際の当該周波数選択板を組み込んだ物体の性能（例えば電力透過率・電力反射率など）を計算機上でシミュレーションして解析することができる周波数選択板組込物体性能解析装置、周波数選択板組込物体性能解析方法、プログラム、および、記録媒体に関するものである。
【背景技術】
【０００２】
近年、例えば防衛関連技術において、戦闘機や艦船などの存在を他から確認されないようにする「ステルス化技術」の必要性が叫ばれている。
【０００３】
このステルス化技術の１つとして、周波数選択板が開発されている（例えば、特許文献１参照。）。周波数選択板は、各種アンテナのレドームおよび電磁窓などの物体のステルス化を計るのに有効な技術の１つである。
【０００４】
そのため、周波数選択板を組み込んだレドームや電磁窓などの物体（例えば、周波数選択板を組み込んだ複数の層からなる構造体など）の開発は、これからの防衛技術などに必要であり、重要視される。
【０００５】
【特許文献１】特開２００３−１５２４１８号公報
【発明の開示】
【発明が解決しようとする課題】
【０００６】
しかしながら、周波数選択板を組み込んだレドームや電磁窓などの開発において、当該周波数選択板を組み込んだレドームや電磁窓などの性能（例えば、電力透過率や電力反射率など）を計算機上でシミュレーションして解析するアルゴリズムは現状では開発されていない。ここで、現状における周波数選択板を組み込んだレドームや電磁窓などの性能の解析手順について説明する。
【０００７】
まず、周波数選択板の性能を、適用させるレドームや電磁窓の壁構造に基づいて無限平板において解析し、レドームや電磁窓に組み込み、当該周波数選択板を組み込んだレドームや電磁窓の性能を解析する。
【０００８】
しかしながら、上述した現状における解析手順では、解析そのものに多くの時間を要してしまう、という問題点がある。さらに、実際に周波数選択板を組み込んだレドームや電磁窓が要求性能を満たさない場合は、再度製作段階からやり直し、解析を行わなければならないため、開発時間や開発費用がかかってしまう、という問題点がある。
【０００９】
このように、従来のシステム等は数々の問題点を有しており、その結果、システムの利用者および管理者のいずれにとっても、利便性が悪く、また、利用効率が悪いものであった。
【００１０】
本発明は上記問題点に鑑みてなされたもので、周波数選択板を組み込んだ物体（例えばレドームや電磁窓など）に対して特定の周波数の電波を放射した際の当該周波数選択板を組み込んだ物体の性能（例えば電力透過率・電力反射率など）を計算機上でシミュレーションして解析することができる、周波数選択板組込物体性能解析装置、周波数選択板組込物体性能解析方法、プログラム、および、記録媒体を提供することを目的としている。
【課題を解決するための手段】
【００１１】
このような目的を達成するために、請求項１に記載の周波数選択板組込物体性能解析装置は、周波数選択板を組み込んだ物体に対して複数の素子を含むレーダから特定の周波数の電波を放射した際の、上記周波数選択板を組み込んだ上記物体の性能を解析する周波数選択板組込物体性能解析装置において、上記周波数選択板を組み込んだ上記物体の各位置に対して複数の入射角度で上記レーダから上記電波を放射した際の、上記周波数選択板を組み込んだ上記物体の各上記位置における各上記入射角度に対応する電力透過率および／または電力反射率を格納する電力透過率・反射率格納手段と、上記レーダが上記電波を放射する方向を示すレーダ走査角度を設定するレーダ走査角度設定手段と、上記レーダ走査角度設定手段にて設定した上記レーダ走査角度に基づいて、上記レーダから放射した上記電波に対応する電界ベクトルを算出する電界ベクトル算出手段と、上記レーダに含まれる上記複数の上記素子の中から１つの上記素子を設定する素子設定手段と、上記素子設定手段にて設定した上記素子の位置、および、上記レーダ走査角度設定手段にて設定した上記レーダ走査角度に基づいて、上記素子設定手段にて設定した上記素子から放射した上記電波の上記周波数選択板を組み込んだ上記物体に対する入射角度を算出する入射角度算出手段と、上記入射角度算出手段にて算出した上記周波数選択板を組み込んだ上記物体に対する上記入射角度に基づいて、上記電力透過率・反射率格納手段にて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得する電力透過率・反射率取得手段と、上記電力透過率・反射率取得手段にて取得した各上記素子に対応する上記周波数選択板を組み込んだ上記物体の上記電力透過率および／または上記電力反射率を予め定められた統合手法に基づいて統合する電力透過率・反射率統合手段とを備えたことを特徴とする。
【００１２】
この装置によれば、周波数選択板を組み込んだ物体の各位置に対して複数の入射角度でレーダから電波を放射した際の、周波数選択板を組み込んだ物体の各位置における各入射角度に対応する電力透過率および／または電力反射率を格納し、レーダが電波を放射する方向を示すレーダ走査角度を設定し、設定したレーダ走査角度に基づいて、レーダから放射した電波に対応する電界ベクトルを算出し、レーダに含まれる複数の素子の中から１つの素子を設定し、設定した素子の位置、および、設定したレーダ走査角度に基づいて、設定した素子から放射した電波の周波数選択板を組み込んだ物体に対する入射角度を算出し、算出した周波数選択板を組み込んだ物体に対する入射角度に基づいて、格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得し、取得した各素子に対応する周波数選択板を組み込んだ物体の電力透過率および／または電力反射率を予め定められた統合手法に基づいて統合するので、周波数選択板を組み込んだ物体の開発において、当該周波数選択板を組み込んだ物体の電力透過率や電力反射率を計算機上のシミュレーションで効率よく解析することができる。
【００１３】
すなわち、この装置によれば、周波数選択板を組み込んだ物体の各位置における各入射角度に対応する電力透過率および／または電力反射率を格納したデータベースに入射角度に基づいて問い合わせ、当該データベースから当該入射角度に一致する電力透過率および／または電力反射率を取得するので、周波数選択板を組み込んだ物体の電力透過率や電力反射率を効率よく、短時間で解析することができる。
【００１４】
また、この装置によれば、周波数選択板を物体に組み込んだ場合の構造設計が可能となり、開発時間とコストを効果的に低減することができる。
【００１５】
また、請求項２に記載の周波数選択板組込物体性能解析装置は、請求項１に記載の周波数選択板組込物体性能解析装置において、上記入射角度算出手段は、上記レーダ走査角度設定手段にて設定した上記レーダ走査角度に基づいて、上記素子設定手段にて設定した上記素子から放射した上記電波の方向ベクトルを算出する電波方向ベクトル算出手段と、上記電波方向ベクトル算出手段にて算出した上記電波の上記方向ベクトルを持ち、上記素子設定手段にて設定した上記素子の上記位置を通過する直線と、上記周波数選択板を組み込んだ上記物体との交点を算出する物体交点算出手段と、上記物体交点算出手段にて算出した上記周波数選択板を組み込んだ上記物体の上記交点における法線ベクトルを算出する法線ベクトル算出手段とをさらに備え、上記法線ベクトル算出手段にて算出した上記法線ベクトル、および、上記電波方向ベクトル算出手段にて算出した上記電波の上記方向ベクトルに基づいて、上記素子設定手段にて設定した上記素子から放射した上記電波の上記周波数選択板を組み込んだ上記物体に対する上記入射角度を算出することを特徴とする。
【００１６】
これは入射角度算出の一例を一層具体的に示すものである。この装置によれば、設定したレーダ走査角度に基づいて、設定した素子から放射した電波の方向ベクトルを算出し、算出した電波の方向ベクトルを持ち、設定した素子の位置を通過する直線と、周波数選択板を組み込んだ物体との交点を算出し、算出した周波数選択板を組み込んだ物体の交点における法線ベクトルを算出し、算出した法線ベクトル、および、算出した電波の方向ベクトルに基づいて、設定した素子から放射した電波の周波数選択板を組み込んだ物体に対する入射角度を算出するので、周波数選択板を組み込んだ物体に対する入射角度を効率よく算出することができる。
【００１７】
また、請求項３に記載の周波数選択板組込物体性能解析装置は、請求項１または２に記載の周波数選択板組込物体性能解析装置において、上記電力透過率・反射率取得手段は、上記入射角度算出手段にて算出した上記周波数選択板を組み込んだ上記物体に対する上記入射角度に基づいて、上記電力透過率・反射率格納手段にて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、当該入射角度に近い２つ以上の上記入射角度に対応する上記周波数選択板を組み込んだ上記物体の上記電力透過率および／または上記電力反射率の補間値を予め定められた補間手法に基づいて計算する補間値計算手段をさらに備え、上記補間値計算手段にて計算した上記周波数選択板を組み込んだ上記物体の当該入射角度に対応する上記電力透過率および／または上記電力反射率の上記補間値を取得することを特徴とする。
【００１８】
これは電力透過率・反射率取得の一例を一層具体的に示すものである。この装置によれば、算出した周波数選択板を組み込んだ物体に対する入射角度に基づいて、格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得できない場合、当該入射角度に近い２つ以上の入射角度に対応する周波数選択板を組み込んだ物体の電力透過率および／または電力反射率の補間値を予め定められた補間手法に基づいて計算し、計算した周波数選択板を組み込んだ物体の当該入射角度に対応する電力透過率および／または電力反射率の補間値を取得するので、周波数選択板を組み込んだ物体の各位置における各入射角度に対応する電力透過率および／または電力反射率を格納したデータベースの中に、問い合わせた入射角度に一致する電力透過率および／または電力反射率がない場合でも、当該データベースから電力透過率および／または電力反射率の補間値を効率よく計算し、取得することができる。
【００１９】
また、請求項４に記載の周波数選択板組込物体性能解析装置は、請求項３に記載の周波数選択板組込物体性能解析装置において、上記補間手法は、ラグランジュ補間、スプライン補間、離散データ補間のうち少なくとも１つの手法であることを特徴とする。
【００２０】
これは補間手法の一例を一層具体的に示すものである。この装置によれば、補間手法は、ラグランジュ補間、スプライン補間、離散データを補間する手法のうち少なくとも１つの手法であるので、周知の補間手法に基づいて電力透過率および／または電力反射率の補間値を効率よく計算することができる。
【００２１】
また、請求項５に記載の周波数選択板組込物体性能解析装置は、請求項１または２に記載の周波数選択板組込物体性能解析装置において、上記電力透過率・反射率取得手段は、上記入射角度算出手段にて算出した上記周波数選択板を組み込んだ上記物体に対する上記入射角度に基づいて、上記電力透過率・反射率格納手段にて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、上記周波数選択板を組み込んだ上記物体の当該入射角度に対応する上記電力透過率および／または上記電力反射率を予め定められた計算手法に基づいて計算する電力透過率・反射率計算手段をさらに備え、上記電力透過率・反射率計算手段にて計算した上記周波数選択板を組み込んだ上記物体の当該入射角度に対応する上記電力透過率および／または上記電力反射率を取得することを特徴とする。
【００２２】
これは電力透過率・反射率取得の一例を一層具体的に示すものである。この装置によれば、算出した周波数選択板を組み込んだ物体に対する入射角度に基づいて、格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得できない場合、周波数選択板を組み込んだ物体の当該入射角度に対応する電力透過率および／または電力反射率を予め定められた計算手法に基づいて計算し、計算した周波数選択板を組み込んだ物体の当該入射角度に対応する電力透過率および／または電力反射率を取得するので、周波数選択板を組み込んだ物体の各位置における各入射角度に対応する電力透過率および／または電力反射率を格納したデータベースの中に、問い合わせた入射角度に一致する電力透過率および／または電力反射率がない場合でも、当該データベースから電力透過率および／または電力反射率を効率よく計算し、取得することができる。
【００２３】
また、請求項６に記載の周波数選択板組込物体性能解析装置は、請求項５に記載の周波数選択板組込物体性能解析装置において、上記計算手法は、モーメント法、スペクトラルドメイン法、ＦＤＴＤ法、ＦＥＭ法のうち少なくとも１つの手法であることを特徴とする。
【００２４】
これは計算手法の一例を一層具体的に示すものである。この装置によれば、計算手法は、モーメント法、スペクトラルドメイン法、ＦＤＴＤ法、ＦＥＭ法のうち少なくとも１つの手法であるので、周知の計算手法に基づいて電力透過率および／または電力反射率を効率よく計算することができる。
【００２５】
また、請求項７に記載の周波数選択板組込物体性能解析装置は、請求項１〜６のいずれか１つに記載の周波数選択板組込物体性能解析装置において、上記統合手法は、各上記素子の開口分布に応じて各上記素子に対応する上記周波数選択板を組み込んだ上記物体の上記電力透過率および／または上記電力反射率の重み付け平均をとる手法、および／または、各上記素子から放射する上記電波の位相を考慮して各上記素子に対応する上記周波数選択板を組み込んだ上記物体の上記電力透過率および／または上記電力反射率の和をとる手法であることを特徴とする。
【００２６】
これは統合手法の一例を一層具体的に示すものである。この装置によれば、統合手法は、各素子の開口分布に応じて各素子に対応する周波数選択板を組み込んだ物体の電力透過率および／または電力反射率の重み付け平均をとる手法、および／または、各素子から放射する電波の位相を考慮して各素子に対応する周波数選択板を組み込んだ物体の電力透過率および／または電力反射率の和をとる手法であるので、電力透過率および／または電力反射率を効果的に統合することができる。
【００２７】
また、請求項８に記載の周波数選択板組込物体性能解析装置は、請求項１〜７のいずれか１つに記載の周波数選択板組込物体性能解析装置において、上記電力透過率・反射率統合手段にて統合した上記周波数選択板を組み込んだ上記物体の上記電力透過率および／または上記電力反射率を含む解析結果を出力する解析結果出力手段を備えたことを特徴とする。
【００２８】
この装置によれば、統合した周波数選択板を組み込んだ物体の電力透過率および／または電力反射率を含む解析結果を出力するので、周波数選択板を組み込んだ物体の電力透過率および／または電力反射率のシミュレーション結果を表示することができ、利用者は当該シミュレーション結果を参考に周波数選択板を組み込んだ物体の開発を効果的に行うことができる。
【００２９】
また、請求項９に記載の周波数選択板組込物体性能解析装置は、請求項１〜８のいずれか１つに記載の周波数選択板組込物体性能解析装置において、上記物体は、レドームまたは電磁窓であることを特徴とする。
【００３０】
これは物体の一例を一層具体的に示すものである。この装置によれば、物体は、レドームまたは電磁窓であるので、周波数選択板を組み込んだレドームまたは電磁窓の開発において、当該周波数選択板を組み込んだレドームまたは電磁窓の電力透過率や電力反射率を計算機上のシミュレーションで効率よく解析することができる。
【００３１】
また、本発明は周波数選択板組込物体性能解析方法に関するものであり、請求項１０に記載の周波数選択板組込物体性能解析方法は、周波数選択板を組み込んだ物体に対して複数の素子を含むレーダから特定の周波数の電波を放射した際の、上記周波数選択板を組み込んだ上記物体の性能を解析する周波数選択板組込物体性能解析方法において、上記周波数選択板を組み込んだ上記物体の各位置に対して複数の入射角度で上記レーダから上記電波を放射した際の、上記周波数選択板を組み込んだ上記物体の各上記位置における各上記入射角度に対応する電力透過率および／または電力反射率を格納する電力透過率・反射率格納ステップと、上記レーダが上記電波を放射する方向を示すレーダ走査角度を設定するレーダ走査角度設定ステップと、上記レーダ走査角度設定ステップにて設定した上記レーダ走査角度に基づいて、上記レーダから放射した上記電波に対応する電界ベクトルを算出する電界ベクトル算出ステップと、上記レーダに含まれる上記複数の上記素子の中から１つの上記素子を設定する素子設定ステップと、上記素子設定ステップにて設定した上記素子の位置、および、上記レーダ走査角度設定ステップにて設定した上記レーダ走査角度に基づいて、上記素子設定ステップにて設定した上記素子から放射した上記電波の上記周波数選択板を組み込んだ上記物体に対する入射角度を算出する入射角度算出ステップと、上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得する電力透過率・反射率取得ステップと、上記電力透過率・反射率取得ステップにて取得した各上記素子に対応する上記周波数選択板を組み込んだ上記物体の上記電力透過率および／または上記電力反射率を予め定められた統合手法に基づいて統合する電力透過率・反射率統合ステップとを含むことを特徴とする。
【００３２】
この方法によれば、周波数選択板を組み込んだ物体の各位置に対して複数の入射角度でレーダから電波を放射した際の、周波数選択板を組み込んだ物体の各位置における各入射角度に対応する電力透過率および／または電力反射率を格納し、レーダが電波を放射する方向を示すレーダ走査角度を設定し、設定したレーダ走査角度に基づいて、レーダから放射した電波に対応する電界ベクトルを算出し、レーダに含まれる複数の素子の中から１つの素子を設定し、設定した素子の位置、および、設定したレーダ走査角度に基づいて、設定した素子から放射した電波の周波数選択板を組み込んだ物体に対する入射角度を算出し、算出した周波数選択板を組み込んだ物体に対する入射角度に基づいて、格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得し、取得した各素子に対応する周波数選択板を組み込んだ物体の電力透過率および／または電力反射率を予め定められた統合手法に基づいて統合するので、周波数選択板を組み込んだ物体の開発において、当該周波数選択板を組み込んだ物体の電力透過率や電力反射率を計算機上のシミュレーションで効率よく解析することができる。
【００３３】
すなわち、この方法によれば、周波数選択板を組み込んだ物体の各位置における各入射角度に対応する電力透過率および／または電力反射率を格納したデータベースに入射角度に基づいて問い合わせ、当該データベースから当該入射角度に一致する電力透過率および／または電力反射率を取得するので、周波数選択板を組み込んだ物体の電力透過率や電力反射率を効率よく、短時間で解析することができる。
【００３４】
また、この方法によれば、周波数選択板を物体に組み込んだ場合の構造設計が可能となり、開発時間とコストを効果的に低減することができる。
【００３５】
また、請求項１１に記載の周波数選択板組込物体性能解析方法は、請求項１０に記載の周波数選択板組込物体性能解析方法において、上記入射角度算出ステップは、上記レーダ走査角度設定ステップにて設定した上記レーダ走査角度に基づいて、上記素子設定ステップにて設定した上記素子から放射した上記電波の方向ベクトルを算出する電波方向ベクトル算出ステップと、上記電波方向ベクトル算出ステップにて算出した上記電波の上記方向ベクトルを持ち、上記素子設定ステップにて設定した上記素子の上記位置を通過する直線と、上記周波数選択板を組み込んだ上記物体との交点を算出する物体交点算出ステップと、上記物体交点算出ステップにて算出した上記周波数選択板を組み込んだ上記物体の上記交点における法線ベクトルを算出する法線ベクトル算出ステップとをさらに含み、上記法線ベクトル算出ステップにて算出した上記法線ベクトル、および、上記電波方向ベクトル算出ステップにて算出した上記電波の上記方向ベクトルに基づいて、上記素子設定ステップにて設定した上記素子から放射した上記電波の上記周波数選択板を組み込んだ上記物体に対する上記入射角度を算出することを特徴とする。
【００３６】
これは入射角度算出の一例を一層具体的に示すものである。この方法によれば、設定したレーダ走査角度に基づいて、設定した素子から放射した電波の方向ベクトルを算出し、算出した電波の方向ベクトルを持ち、設定した素子の位置を通過する直線と、周波数選択板を組み込んだ物体との交点を算出し、算出した周波数選択板を組み込んだ物体の交点における法線ベクトルを算出し、算出した法線ベクトル、および、算出した電波の方向ベクトルに基づいて、設定した素子から放射した電波の周波数選択板を組み込んだ物体に対する入射角度を算出するので、周波数選択板を組み込んだ物体に対する入射角度を効率よく算出することができる。
【００３７】
また、請求項１２に記載の周波数選択板組込物体性能解析方法は、請求項１０または１１に記載の周波数選択板組込物体性能解析方法において、上記電力透過率・反射率取得ステップは、上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、当該入射角度に近い２つ以上の上記入射角度に対応する上記周波数選択板を組み込んだ上記物体の上記電力透過率および／または上記電力反射率の補間値を予め定められた補間手法に基づいて計算する補間値計算ステップをさらに含み、上記補間値計算ステップにて計算した上記周波数選択板を組み込んだ上記物体の当該入射角度に対応する上記電力透過率および／または上記電力反射率の上記補間値を取得することを特徴とする。
【００３８】
これは電力透過率・反射率取得の一例を一層具体的に示すものである。この方法によれば、算出した周波数選択板を組み込んだ物体に対する入射角度に基づいて、格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得できない場合、当該入射角度に近い２つ以上の入射角度に対応する周波数選択板を組み込んだ物体の電力透過率および／または電力反射率の補間値を予め定められた補間手法に基づいて計算し、計算した周波数選択板を組み込んだ物体の当該入射角度に対応する電力透過率および／または電力反射率の補間値を取得するので、周波数選択板を組み込んだ物体の各位置における各入射角度に対応する電力透過率および／または電力反射率を格納したデータベースの中に、問い合わせた入射角度に一致する電力透過率および／または電力反射率がない場合でも、当該データベースから電力透過率および／または電力反射率の補間値を効率よく計算し、取得することができる。
【００３９】
また、請求項１３に記載の周波数選択板組込物体性能解析方法は、請求項１２に記載の周波数選択板組込物体性能解析方法において、上記補間手法は、ラグランジュ補間、スプライン補間、離散データ補間のうち少なくとも１つの手法であることを特徴とする。
【００４０】
これは補間手法の一例を一層具体的に示すものである。この方法によれば、補間手法は、ラグランジュ補間、スプライン補間、離散データを補間する手法のうち少なくとも１つの手法であるので、周知の補間手法に基づいて電力透過率および／または電力反射率の補間値を効率よく計算することができる。
【００４１】
また、請求項１４に記載の周波数選択板組込物体性能解析方法は、請求項１０または１１に記載の周波数選択板組込物体性能解析方法において、上記電力透過率・反射率取得ステップは、上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、上記周波数選択板を組み込んだ上記物体の当該入射角度に対応する上記電力透過率および／または上記電力反射率を予め定められた計算手法に基づいて計算する電力透過率・反射率計算ステップをさらに含み、上記電力透過率・反射率計算ステップにて計算した上記周波数選択板を組み込んだ上記物体の当該入射角度に対応する上記電力透過率および／または上記電力反射率を取得することを特徴とする。
【００４２】
これは電力透過率・反射率取得の一例を一層具体的に示すものである。この方法によれば、算出した周波数選択板を組み込んだ物体に対する入射角度に基づいて、格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得できない場合、周波数選択板を組み込んだ物体の当該入射角度に対応する電力透過率および／または電力反射率を予め定められた計算手法に基づいて計算し、計算した周波数選択板を組み込んだ物体の当該入射角度に対応する電力透過率および／または電力反射率を取得するので、周波数選択板を組み込んだ物体の各位置における各入射角度に対応する電力透過率および／または電力反射率を格納したデータベースの中に、問い合わせた入射角度に一致する電力透過率および／または電力反射率がない場合でも、当該データベースから電力透過率および／または電力反射率を効率よく計算し、取得することができる。
【００４３】
また、請求項１５に記載の周波数選択板組込物体性能解析方法は、請求項１４に記載の周波数選択板組込物体性能解析方法において、上記計算手法は、モーメント法、スペクトラルドメイン法、ＦＤＴＤ法、ＦＥＭ法のうち少なくとも１つの手法であることを特徴とする。
【００４４】
これは計算手法の一例を一層具体的に示すものである。この方法によれば、計算手法は、モーメント法、スペクトラルドメイン法、ＦＤＴＤ法、ＦＥＭ法のうち少なくとも１つの手法であるので、周知の計算手法に基づいて電力透過率および／または電力反射率を効率よく計算することができる。
【００４５】
また、請求項１６に記載の周波数選択板組込物体性能解析方法は、請求項１０〜１５のいずれか１つに記載の周波数選択板組込物体性能解析方法において、上記統合手法は、各上記素子の開口分布に応じて各上記素子に対応する上記周波数選択板を組み込んだ上記物体の上記電力透過率および／または上記電力反射率の重み付け平均をとる手法、および／または、各上記素子から放射する上記電波の位相を考慮して各上記素子に対応する上記周波数選択板を組み込んだ上記物体の上記電力透過率および／または上記電力反射率の和をとる手法であることを特徴とする。
【００４６】
これは統合手法の一例を一層具体的に示すものである。この方法によれば、統合手法は、各素子の開口分布に応じて各素子に対応する周波数選択板を組み込んだ物体の電力透過率および／または電力反射率の重み付け平均をとる手法、および／または、各素子から放射する電波の位相を考慮して各素子に対応する周波数選択板を組み込んだ物体の電力透過率および／または電力反射率の和をとる手法であるので、電力透過率および／または電力反射率を効果的に統合することができる。
【００４７】
また、請求項１７に記載の周波数選択板組込物体性能解析方法は、請求項１０〜１６のいずれか１つに記載の周波数選択板組込物体性能解析方法において、上記電力透過率・反射率統合ステップにて統合した上記周波数選択板を組み込んだ上記物体の上記電力透過率および／または上記電力反射率を含む解析結果を出力する解析結果出力ステップを含むことを特徴とする。
【００４８】
この方法によれば、統合した周波数選択板を組み込んだ物体の電力透過率および／または電力反射率を含む解析結果を出力するので、周波数選択板を組み込んだ物体の電力透過率および／または電力反射率のシミュレーション結果を表示することができ、利用者は当該シミュレーション結果を参考に周波数選択板を組み込んだ物体の開発を効果的に行うことができる。
【００４９】
また、請求項１８に記載の周波数選択板組込物体性能解析方法は、請求項１０〜１７のいずれか１つに記載の周波数選択板組込物体性能解析方法において、上記物体は、レドームまたは電磁窓であることを特徴とする。
【００５０】
これは物体の一例を一層具体的に示すものである。この方法によれば、物体は、レドームまたは電磁窓であるので、周波数選択板を組み込んだレドームまたは電磁窓の開発において、当該周波数選択板を組み込んだレドームまたは電磁窓の電力透過率や電力反射率を計算機上のシミュレーションで効率よく解析することができる。
【００５１】
また、本発明はプログラムに関するものであり、請求項１９に記載の周波数選択板組込物体性能解析方法をコンピュータに実行させることを特徴とするプログラムは、周波数選択板を組み込んだ物体に対して複数の素子を含むレーダから特定の周波数の電波を放射した際の、上記周波数選択板を組み込んだ上記物体の性能を解析する周波数選択板組込物体性能解析方法をコンピュータに実行させるプログラムにおいて、上記周波数選択板を組み込んだ上記物体の各位置に対して複数の入射角度で上記レーダから上記電波を放射した際の、上記周波数選択板を組み込んだ上記物体の各上記位置における各上記入射角度に対応する電力透過率および／または電力反射率を格納する電力透過率・反射率格納ステップと、上記レーダが上記電波を放射する方向を示すレーダ走査角度を設定するレーダ走査角度設定ステップと、上記レーダ走査角度設定ステップにて設定した上記レーダ走査角度に基づいて、上記レーダから放射した上記電波に対応する電界ベクトルを算出する電界ベクトル算出ステップと、上記レーダに含まれる上記複数の上記素子の中から１つの上記素子を設定する素子設定ステップと、上記素子設定ステップにて設定した上記素子の位置、および、上記レーダ走査角度設定ステップにて設定した上記レーダ走査角度に基づいて、上記素子設定ステップにて設定した上記素子から放射した上記電波の上記周波数選択板を組み込んだ上記物体に対する入射角度を算出する入射角度算出ステップと、上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得する電力透過率・反射率取得ステップと、上記電力透過率・反射率取得ステップにて取得した各上記素子に対応する上記周波数選択板を組み込んだ上記物体の上記電力透過率および／または上記電力反射率を予め定められた統合手法に基づいて統合する電力透過率・反射率統合ステップとを含むことを特徴とする。
【００５２】
このプログラムによれば、周波数選択板を組み込んだ物体の各位置に対して複数の入射角度でレーダから電波を放射した際の、周波数選択板を組み込んだ物体の各位置における各入射角度に対応する電力透過率および／または電力反射率を格納し、レーダが電波を放射する方向を示すレーダ走査角度を設定し、設定したレーダ走査角度に基づいて、レーダから放射した電波に対応する電界ベクトルを算出し、レーダに含まれる複数の素子の中から１つの素子を設定し、設定した素子の位置、および、設定したレーダ走査角度に基づいて、設定した素子から放射した電波の周波数選択板を組み込んだ物体に対する入射角度を算出し、算出した周波数選択板を組み込んだ物体に対する入射角度に基づいて、格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得し、取得した各素子に対応する周波数選択板を組み込んだ物体の電力透過率および／または電力反射率を予め定められた統合手法に基づいて統合するので、周波数選択板を組み込んだ物体の開発において、当該周波数選択板を組み込んだ物体の電力透過率や電力反射率を計算機上のシミュレーションで効率よく解析することができる。
【００５３】
すなわち、このプログラムによれば、周波数選択板を組み込んだ物体の各位置における各入射角度に対応する電力透過率および／または電力反射率を格納したデータベースに入射角度に基づいて問い合わせ、当該データベースから当該入射角度に一致する電力透過率および／または電力反射率を取得するので、周波数選択板を組み込んだ物体の電力透過率や電力反射率を効率よく、短時間で解析することができる。
【００５４】
また、このプログラムによれば、周波数選択板を物体に組み込んだ場合の構造設計が可能となり、開発時間とコストを効果的に低減することができる。
【００５５】
また、請求項２０に記載のプログラムは、請求項１９に記載のプログラムにおいて、上記入射角度算出ステップは、上記レーダ走査角度設定ステップにて設定した上記レーダ走査角度に基づいて、上記素子設定ステップにて設定した上記素子から放射した上記電波の方向ベクトルを算出する電波方向ベクトル算出ステップと、上記電波方向ベクトル算出ステップにて算出した上記電波の上記方向ベクトルを持ち、上記素子設定ステップにて設定した上記素子の上記位置を通過する直線と、上記周波数選択板を組み込んだ上記物体との交点を算出する物体交点算出ステップと、上記物体交点算出ステップにて算出した上記周波数選択板を組み込んだ上記物体の上記交点における法線ベクトルを算出する法線ベクトル算出ステップとをさらに含み、上記法線ベクトル算出ステップにて算出した上記法線ベクトル、および、上記電波方向ベクトル算出ステップにて算出した上記電波の上記方向ベクトルに基づいて、上記素子設定ステップにて設定した上記素子から放射した上記電波の上記周波数選択板を組み込んだ上記物体に対する上記入射角度を算出することを特徴とする。
【００５６】
これは入射角度算出の一例を一層具体的に示すものである。このプログラムによれば、設定したレーダ走査角度に基づいて、設定した素子から放射した電波の方向ベクトルを算出し、算出した電波の方向ベクトルを持ち、設定した素子の位置を通過する直線と、周波数選択板を組み込んだ物体との交点を算出し、算出した周波数選択板を組み込んだ物体の交点における法線ベクトルを算出し、算出した法線ベクトル、および、算出した電波の方向ベクトルに基づいて、設定した素子から放射した電波の周波数選択板を組み込んだ物体に対する入射角度を算出するので、周波数選択板を組み込んだ物体に対する入射角度を効率よく算出することができる。
【００５７】
また、請求項２１に記載のプログラムは、請求項１９または２０に記載のプログラムにおいて、上記電力透過率・反射率取得ステップは、上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、当該入射角度に近い２つ以上の上記入射角度に対応する上記周波数選択板を組み込んだ上記物体の上記電力透過率および／または上記電力反射率の補間値を予め定められた補間手法に基づいて計算する補間値計算ステップをさらに含み、上記補間値計算ステップにて計算した上記周波数選択板を組み込んだ上記物体の当該入射角度に対応する上記電力透過率および／または上記電力反射率の上記補間値を取得することを特徴とする。
【００５８】
これは電力透過率・反射率取得の一例を一層具体的に示すものである。このプログラムによれば、算出した周波数選択板を組み込んだ物体に対する入射角度に基づいて、格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得できない場合、当該入射角度に近い２つ以上の入射角度に対応する周波数選択板を組み込んだ物体の電力透過率および／または電力反射率の補間値を予め定められた補間手法に基づいて計算し、計算した周波数選択板を組み込んだ物体の当該入射角度に対応する電力透過率および／または電力反射率の補間値を取得するので、周波数選択板を組み込んだ物体の各位置における各入射角度に対応する電力透過率および／または電力反射率を格納したデータベースの中に、問い合わせた入射角度に一致する電力透過率および／または電力反射率がない場合でも、当該データベースから電力透過率および／または電力反射率の補間値を効率よく計算し、取得することができる。
【００５９】
また、請求項２２に記載のプログラムは、請求項２１に記載のプログラムにおいて、上記補間手法は、ラグランジュ補間、スプライン補間、離散データ補間のうち少なくとも１つの手法であることを特徴とする。
【００６０】
これは補間手法の一例を一層具体的に示すものである。このプログラムによれば、補間手法は、ラグランジュ補間、スプライン補間、離散データを補間する手法のうち少なくとも１つの手法であるので、周知の補間手法に基づいて電力透過率および／または電力反射率の補間値を効率よく計算することができる。
【００６１】
また、請求項２３に記載のプログラムは、請求項１９または２０に記載のプログラムにおいて、上記電力透過率・反射率取得ステップは、上記入射角度算出ステップにて算出した上記周波数選択板を組み込んだ上記物体に対する上記入射角度に基づいて、上記電力透過率・反射率格納ステップにて格納した上記周波数選択板を組み込んだ上記物体の各上記位置における各上記入射角度に対応する上記電力透過率および／または上記電力反射率の中から上記周波数選択板を組み込んだ上記物体の当該入射角度に対応する上記電力透過率および／または上記電力反射率を取得できない場合、上記周波数選択板を組み込んだ上記物体の当該入射角度に対応する上記電力透過率および／または上記電力反射率を予め定められた計算手法に基づいて計算する電力透過率・反射率計算ステップをさらに含み、上記電力透過率・反射率計算ステップにて計算した上記周波数選択板を組み込んだ上記物体の当該入射角度に対応する上記電力透過率および／または上記電力反射率を取得することを特徴とする。
【００６２】
これは電力透過率・反射率取得の一例を一層具体的に示すものである。このプログラムによれば、算出した周波数選択板を組み込んだ物体に対する入射角度に基づいて、格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得できない場合、周波数選択板を組み込んだ物体の当該入射角度に対応する電力透過率および／または電力反射率を予め定められた計算手法に基づいて計算し、計算した周波数選択板を組み込んだ物体の当該入射角度に対応する電力透過率および／または電力反射率を取得するので、周波数選択板を組み込んだ物体の各位置における各入射角度に対応する電力透過率および／または電力反射率を格納したデータベースの中に、問い合わせた入射角度に一致する電力透過率および／または電力反射率がない場合でも、当該データベースから電力透過率および／または電力反射率を効率よく計算し、取得することができる。
【００６３】
また、請求項２４に記載のプログラムは、請求項２３に記載のプログラムにおいて、上記計算手法は、モーメント法、スペクトラルドメイン法、ＦＤＴＤ法、ＦＥＭ法のうち少なくとも１つの手法であることを特徴とする。
【００６４】
これは計算手法の一例を一層具体的に示すものである。このプログラムによれば、計算手法は、モーメント法、スペクトラルドメイン法、ＦＤＴＤ法、ＦＥＭ法のうち少なくとも１つの手法であるので、周知の計算手法に基づいて電力透過率および／または電力反射率を効率よく計算することができる。
【００６５】
また、請求項２５に記載のプログラムは、請求項１９〜２４のいずれか１つに記載のプログラムにおいて、上記統合手法は、各上記素子の開口分布に応じて各上記素子に対応する上記周波数選択板を組み込んだ上記物体の上記電力透過率および／または上記電力反射率の重み付け平均をとる手法、および／または、各上記素子から放射する上記電波の位相を考慮して各上記素子に対応する上記周波数選択板を組み込んだ上記物体の上記電力透過率および／または上記電力反射率の和をとる手法であることを特徴とする。
【００６６】
これは統合手法の一例を一層具体的に示すものである。このプログラムによれば、統合手法は、各素子の開口分布に応じて各素子に対応する周波数選択板を組み込んだ物体の電力透過率および／または電力反射率の重み付け平均をとる手法、および／または、各素子から放射する電波の位相を考慮して各素子に対応する周波数選択板を組み込んだ物体の電力透過率および／または電力反射率の和をとる手法であるので、電力透過率および／または電力反射率を効果的に統合することができる。
【００６７】
また、請求項２６に記載のプログラムは、請求項１９〜２５のいずれか１つに記載のプログラムにおいて、上記電力透過率・反射率統合ステップにて統合した上記周波数選択板を組み込んだ上記物体の上記電力透過率および／または上記電力反射率を含む解析結果を出力する解析結果出力ステップを含むことを特徴とする。
【００６８】
このプログラムによれば、統合した周波数選択板を組み込んだ物体の電力透過率および／または電力反射率を含む解析結果を出力するので、周波数選択板を組み込んだ物体の電力透過率および／または電力反射率のシミュレーション結果を表示することができ、利用者は当該シミュレーション結果を参考に周波数選択板を組み込んだ物体の開発を効果的に行うことができる。
【００６９】
また、請求項２７に記載のプログラムは、請求項１９〜２６のいずれか１つに記載のプログラムにおいて、上記物体は、レドームまたは電磁窓であることを特徴とする。
【００７０】
これは物体の一例を一層具体的に示すものである。このプログラムによれば、物体は、レドームまたは電磁窓であるので、周波数選択板を組み込んだレドームまたは電磁窓の開発において、当該周波数選択板を組み込んだレドームまたは電磁窓の電力透過率や電力反射率を計算機上のシミュレーションで効率よく解析することができる。
【００７１】
また、本発明は記録媒体に関するものであり、請求項２８に記載の記録媒体は、上記請求項１９〜２７のいずれか１つに記載されたプログラムを記録したことを特徴とする。
【００７２】
この記録媒体によれば、当該記録媒体に記録されたプログラムをコンピュータに読み取らせて実行することによって、請求項１９〜２７のいずれか１つに記載されたプログラムをコンピュータを利用して実現することができ、これら各方法と同様の効果を得ることができる。
【発明の効果】
【００７３】
本発明によれば、周波数選択板を組み込んだ物体の開発において、当該周波数選択板を組み込んだ物体の電力透過率や電力反射率を計算機上のシミュレーションで効率よく解析することができる周波数選択板組込物体性能解析装置、周波数選択板組込物体性能解析方法、プログラム、および、記録媒体を提供することができる。
【００７４】
すなわち、本発明によれば、周波数選択板を組み込んだ物体の各位置における各入射角度に対応する電力透過率および／または電力反射率を格納したデータベースに入射角度に基づいて問い合わせ、当該データベースから当該入射角度に一致する電力透過率および／または電力反射率を取得するので、周波数選択板を組み込んだ物体の電力透過率や電力反射率を効率よく、短時間で解析することができる周波数選択板組込物体性能解析装置、周波数選択板組込物体性能解析方法、プログラム、および、記録媒体を提供することができる。
【００７５】
また、本発明によれば、周波数選択板を物体に組み込んだ場合の構造設計が可能となり、開発時間とコストを効果的に低減することができる周波数選択板組込物体性能解析装置、周波数選択板組込物体性能解析方法、プログラム、および、記録媒体を提供することができる。
【００７６】
また、本発明によれば、周波数選択板を組み込んだ物体に対する入射角度を効率よく算出することができる周波数選択板組込物体性能解析装置、周波数選択板組込物体性能解析方法、プログラム、および、記録媒体を提供することができる。
【００７７】
また、本発明によれば、周波数選択板を組み込んだ物体の各位置における各入射角度に対応する電力透過率および／または電力反射率を格納したデータベースの中に、問い合わせた入射角度に一致する電力透過率および／または電力反射率がない場合でも、当該データベースから電力透過率および／または電力反射率の補間値を効率よく計算し、取得することができる周波数選択板組込物体性能解析装置、周波数選択板組込物体性能解析方法、プログラム、および、記録媒体を提供することができる。
【００７８】
また、本発明によれば、周知の補間手法に基づいて電力透過率および／または電力反射率の補間値を効率よく計算することができる周波数選択板組込物体性能解析装置、周波数選択板組込物体性能解析方法、プログラム、および、記録媒体を提供することができる。
【００７９】
また、本発明によれば、周波数選択板を組み込んだ物体の各位置における各入射角度に対応する電力透過率および／または電力反射率を格納したデータベースの中に、問い合わせた入射角度に一致する電力透過率および／または電力反射率がない場合でも、当該データベースから電力透過率および／または電力反射率を効率よく計算し、取得することができる周波数選択板組込物体性能解析装置、周波数選択板組込物体性能解析方法、プログラム、および、記録媒体を提供することができる。
【００８０】
また、本発明によれば、周知の計算手法に基づいて電力透過率および／または電力反射率を効率よく計算することができる周波数選択板組込物体性能解析装置、周波数選択板組込物体性能解析方法、プログラム、および、記録媒体を提供することができる。
【００８１】
また、本発明によれば、電力透過率および／または電力反射率を効果的に統合することができる周波数選択板組込物体性能解析装置、周波数選択板組込物体性能解析方法、プログラム、および、記録媒体を提供することができる。
【００８２】
また、本発明によれば、周波数選択板を組み込んだ物体の電力透過率および／または電力反射率のシミュレーション結果を表示することができ、利用者は当該シミュレーション結果を参考に周波数選択板を組み込んだ物体の開発を効果的に行うことができる周波数選択板組込物体性能解析装置、周波数選択板組込物体性能解析方法、プログラム、および、記録媒体を提供することができる。
【００８３】
さらに、本発明によれば、周波数選択板を組み込んだレドームまたは電磁窓の開発において、当該周波数選択板を組み込んだレドームまたは電磁窓の電力透過率や電力反射率を計算機上のシミュレーションで効率よく解析することができる周波数選択板組込物体性能解析装置、周波数選択板組込物体性能解析方法、プログラム、および、記録媒体を提供することができる。
【発明を実施するための最良の形態】
【００８４】
以下に、本発明にかかる周波数選択板組込物体性能解析装置、周波数選択板組込物体性能解析方法、プログラム、および、記録媒体の実施の形態を図面に基づいて詳細に説明する。なお、この実施の形態によりこの発明が限定されるものではない。
【００８５】
［本発明の概要］
以下、本発明の概要について図１を用いて説明し、その後、本発明の構成および処理等について詳細に説明する。図１は本発明の基本原理を示すフローチャートである。
【００８６】
まず、対象となる物体の座標データおよび物理パラメータを読み込む（ステップＳ−０）。具体的には、対象となる物体を分割モデル化するために、対象となる物体の３次元座標データならびに誘電率および構造のうち少なくとも一つを含む物理パラメータを読み込む。
【００８７】
ついで、レーダが電波を放射する方向を示すレーダ走査角度を設定する（ステップＳ−１）。
【００８８】
ついで、ステップＳ−１にて設定したレーダ走査角度に基づいて、レーダから放射した電波に対応する電界ベクトルを算出する（ステップＳ−２）。
【００８９】
ついで、レーダに含まれる複数の素子の中から１つの素子を設定する（ステップＳ−３）。ここで、素子とは、レーダ表面を複数の領域に分割した時の各領域のことである。
【００９０】
ついで、ステップＳ−３にて設定した素子の位置、および、ステップＳ−１にて設定したレーダ走査角度に基づいて、当該素子から放射した電波の周波数選択板を組み込んだ物体に対する入射角度を算出する（ステップＳ−４）。
【００９１】
ここで、ステップＳ−４において、ステップＳ−１にて設定したレーダ走査角度に基づいて、ステップＳ−３にて設定した素子から放射した電波の方向ベクトルを算出し、算出した電波の方向ベクトルを持ち、当該素子の位置を通過する直線と、周波数選択板を組み込んだ物体との交点を算出し、算出した周波数選択板を組み込んだ物体の交点における法線ベクトルを算出し、算出した法線ベクトル、および、電波の方向ベクトルに基づいて、当該素子から放射した電波の周波数選択板を組み込んだ物体に対する入射角度を算出してもよい。
【００９２】
ついで、ステップＳ−４にて算出した周波数選択板を組み込んだ物体に対する入射角度に基づいて、周波数選択板を組み込んだ物体の各位置における各入射角度に対応する電力透過率および／または電力反射率を予め格納したデータベースの中から、周波数選択板を組み込んだ物体の当該入射角度に対応する電力透過率および／または電力反射率を取得する（ステップＳ−５）。
【００９３】
ここで、ステップＳ−４にて算出した周波数選択板を組み込んだ物体に対する入射角度に基づいて、周波数選択板を組み込んだ物体の各位置における各入射角度に対応する電力透過率および／または電力反射率を予め格納したデータベースの中から周波数選択板を組み込んだ物体の当該入射角度に対応する電力透過率および／または電力反射率を取得できない場合、当該入射角度に近い２つ以上の入射角度に対応する、当該データベースに格納された周波数選択板を組み込んだ物体の電力透過率および／または電力反射率の補間値を予め定められた補間手法（例えば、ラグランジュ補間、スプライン補間、離散データ補間などの周知の補間手法）に基づいて計算してもよい。
【００９４】
また、ステップＳ−４にて算出した周波数選択板を組み込んだ物体に対する入射角度に基づいて、周波数選択板を組み込んだ物体の各位置における各入射角度に対応する電力透過率および／または電力反射率を予め格納したデータベースの中から周波数選択板を組み込んだ物体の当該入射角度に対応する電力透過率および／または電力反射率を取得できない場合、周波数選択板を組み込んだ物体の当該入射角度に対応する電力透過率および／または電力反射率を予め定められた計算手法（例えば、モーメント法、スペクトラルドメイン法、ＦＤＴＤ法、ＦＥＭ法など）に基づいて計算してもよい（例えば、周波数選択板を組み込んだ積層構造体（入射角・構造数・偏波）に対して予め定められた計算手法に基づいて電力透過率および／または電力反射率を計算してもよい）。
【００９５】
ついで、ステップＳ−５にて取得した各素子に対応する周波数選択板を組み込んだ物体の電力透過率および／または電力反射率を予め定められた統合手法（例えば、各素子の開口分布に応じて各素子に対応する周波数選択板を組み込んだ物体の電力透過率および／または電力反射率の重み付け平均をとる手法、各素子から放射する電波の位相を考慮して各素子に対応する周波数選択板を組み込んだ物体の電力透過率および／または電力反射率の和をとる手法など）に基づいて統合する（ステップＳ−６）。
【００９６】
ここで、ステップＳ−６にて統合した周波数選択板を組み込んだ物体の電力透過率および／または電力反射率を含む解析結果を出力してもよい。
【００９７】
また、本発明における「物体」は、レドーム（レーダドーム）、電磁窓、通信衛星のリフレクターなどでもよい。
【００９８】
これにより、周波数選択板を組み込んだレドーム、電磁窓、通信衛星のリフレクターなどの開発において、当該周波数選択板を組み込んだレドーム、電磁窓、通信衛星のリフレクターなどの電力透過率や電力反射率を計算機上のシミュレーションで効率よく解析することができる。
【００９９】
［システム構成］
まず、本システムの構成について説明する。図２は、本発明が適用される本システムの構成の一例を示すブロック図であり、該構成のうち本発明に関係する部分のみを概念的に示している。本システムは、概略的に、周波数選択板組込物体性能解析装置１００と、周波数選択板を組み込んだ物体の性能（例えば、電力透過率、電力反射率など）等に関する外部データベースや周波数選択板を組み込んだ物体の性能を解析するための外部プログラム等を提供する外部システム２００とを、ネットワーク３００を介して通信可能に接続して構成されている。
【０１００】
図２においてネットワーク３００は、周波数選択板組込物体性能解析装置１００と外部システム２００とを相互に接続する機能を有し、例えば、インターネット等である。
【０１０１】
図２において外部システム２００は、ネットワーク３００を介して、周波数選択板組込物体性能解析装置１００と相互に接続され、利用者に対して周波数選択板を組み込んだ物体の性能（例えば、電力透過率、電力反射率など）等に関する外部データベースや周波数選択板を組み込んだ物体の性能を解析するための外部プログラムを実行するウェブサイトを提供する機能を有する。
【０１０２】
ここで、外部システム２００は、ＷＥＢサーバやＡＳＰサーバ等として構成してもよく、そのハードウェア構成は、一般に市販されるワークステーション、パーソナルコンピュータ等の情報処理装置およびその付属装置により構成してもよい。また、外部システム２００の各機能は、外部システム２００のハードウェア構成中のＣＰＵ、ディスク装置、メモリ装置、入力装置、出力装置、通信制御装置等およびそれらを制御するプログラム等により実現される。
【０１０３】
図２において周波数選択板組込物体性能解析装置１００は、概略的に、周波数選択板組込物体性能解析装置１００の全体を統括的に制御するＣＰＵ等の制御部１０２、通信回線等に接続されるルータ等の通信装置（図示せず）に接続される通信制御インターフェース部１０４、入力装置１１２や出力装置１１４に接続される入出力制御インターフェース部１０８、および、各種のデータベースやテーブルやファイルなどを格納する記憶部１０６を備えて構成されており、これら各部は任意の通信路を介して通信可能に接続されている。さらに、この周波数選択板組込物体性能解析装置１００は、ルータ等の通信装置および専用線等の有線または無線の通信回線を介して、ネットワーク３００に通信可能に接続されている。
【０１０４】
記憶部１０６に格納される各種のデータベースやテーブルやファイル（電力透過率・反射率データベース１０６ａ〜解析結果ファイル１０６ｆ）は、固定ディスク装置等のストレージ手段であり、各種処理に用いる各種のプログラムやテーブルやファイルやデータベースやウェブページ用ファイル等を格納する。
【０１０５】
これら記憶部１０６の各構成要素のうち、電力透過率・反射率データベース１０６ａは、周波数選択板を組み込んだ物体の各位置に対して複数の入射角度でレーダから電波を放射した際の、周波数選択板を組み込んだ物体の各位置における各入射角度に対応する電力透過率および／または電力反射率を格納する電力透過率・反射率格納手段である。ここで、電力透過率・反射率データベース１０６ａに格納される情報について図３を参照して説明する。図３は、本実施形態における電力透過率・反射率データベース１０６ａに格納される情報の一例を示す図である。
【０１０６】
図３に示すように、この電力透過率・反射率データベース１０６ａに格納される情報は、物体位置を一意に識別する物体位置識別情報と、ｘ座標・ｙ座標・ｚ座標を含む物体位置と、電波の入射角度と、当該入射角度ごとの電力透過率・電力反射率とを相互に関連付けて構成されている。
【０１０７】
また、電界ベクトルファイル１０６ｂは、レーダから放射した電波に対応する電界ベクトルを格納する電界ベクトル格納手段である。
【０１０８】
この電界ベクトルファイル１０６ｂに格納される情報は、レーダ走査角度と、電界ベクトルとを相互に関連付けて構成されている。
【０１０９】
また、入射角度ファイル１０６ｃは、素子から放射した電波の周波数選択板を組み込んだ物体に対する入射角度を格納する入射角度格納手段である。
【０１１０】
この入射角度ファイル１０６ｃに格納される情報は、素子を一意に識別する素子識別情報と、レーダ走査角度と、電波の方向ベクトルを持ち、素子の位置を通過する直線の方程式と、周波数選択板を組み込んだ物体との交点と、当該交点における法線ベクトルと、入射角度とを相互に関連付けて構成されている。
【０１１１】
また、取得電力透過率・反射率ファイル１０６ｄは、後述する電力透過率・反射率取得手段にて取得した各素子に対応する周波数選択板を組み込んだ物体の電力透過率および／または電力反射率を格納する取得電力透過率・反射率格納手段である。
【０１１２】
この取得電力透過率・反射率ファイル１０６ｄに格納される情報は、素子識別情報と、電力透過率・電力反射率とを相互に関連付けて構成されている。
【０１１３】
また、統合電力透過率・反射率ファイル１０６ｅは、後述する電力透過率・反射率統合手段にて統合した各レーダ走査角度に対応する、周波数選択板を組み込んだ物体の電力透過率および／または電力反射率を格納する統合電力透過率・反射率格納手段である。
【０１１４】
この統合電力透過率・反射率ファイル１０６ｅに格納される情報は、レーダ走査角度と、統合された電力透過率・電力反射率とを相互に関連付けて構成されている。
【０１１５】
また、解析結果ファイル１０６ｆは、統合した周波数選択板を組み込んだ物体の電力透過率および／または電力反射率を含む解析結果を格納する解析結果格納手段である。
【０１１６】
この解析結果ファイル１０６ｆに格納される情報は、統合した周波数選択板を組み込んだ物体の電力透過率・電力反射率を含む解析結果で構成されている。
【０１１７】
また、図２において、通信制御インターフェース部１０４は、周波数選択板組込物体性能解析装置１００とネットワーク３００（またはルータ等の通信装置）との間における通信制御を行う。すなわち、通信制御インターフェース部１０４は、他の端末と通信回線を介してデータを通信する機能を有する。
【０１１８】
また、図２において、入出力制御インターフェース部１０８は、入力装置１１２や出力装置１１４の制御を行う。ここで、出力装置１１４としては、モニタ（家庭用テレビを含む）の他、スピーカを用いることができる（なお、以下においては出力装置１１４をモニタとして記載する場合がある）。また、入力装置１１２としては、キーボード、マウス、および、マイク等を用いることができる。また、モニタも、マウスと協働してポインティングデバイス機能を実現する。
【０１１９】
また、図２において、制御部１０２は、ＯＳ（Ｏｐｅｒａｔｉｎｇ  Ｓｙｓｔｅｍ）等の制御プログラム、各種の処理手順等を規定したプログラム、および所要データを格納するための内部メモリを有し、これらのプログラム等により、種々の処理を実行するための情報処理を行う。制御部１０２は、機能概念的に、電力透過率・反射率格納部１０２ａ、レーダ走査角度設定部１０２ｂ、電界ベクトル算出部１０２ｃ、素子設定部１０２ｄ、入射角度算出部１０２ｅ、電力透過率・反射率取得部１０２ｆ、電力透過率・反射率統合部１０２ｇ、解析結果出力部１０２ｈを備えて構成されている。
【０１２０】
このうち、電力透過率・反射率格納部１０２ａは、周波数選択板を組み込んだ物体の各位置に対して複数の入射角度でレーダから電波を放射した際の、周波数選択板を組み込んだ物体の各位置における各入射角度に対応する電力透過率および／または電力反射率を格納する電力透過率・反射率格納手段である。
【０１２１】
また、レーダ走査角度設定部１０２ｂは、レーダが電波を放射する方向を示すレーダ走査角度を設定するレーダ走査角度設定手段である。
【０１２２】
また、電界ベクトル算出部１０２ｃは、レーダ走査角度に基づいて、レーダから放射した電波に対応する電界ベクトルを算出する電界ベクトル算出手段である。
【０１２３】
また、素子設定部１０２ｄは、レーダに含まれる複数の素子の中から１つの素子を設定する素子設定手段である。
【０１２４】
また、入射角度算出部１０２ｅは、素子の位置、および、レーダ走査角度に基づいて、素子から放射した電波の周波数選択板を組み込んだ物体に対する入射角度を算出する入射角度算出手段である。ここで、図４は、入射角度算出部１０２ｅの構成の一例を示すブロック図である。図４に示すように、入射角度算出部１０２ｅは、電波方向ベクトル算出部１０２ｉ、物体交点算出部１０２ｊ、および、法線ベクトル算出部１０２ｋを含んで構成されている。
【０１２５】
ここで、電波方向ベクトル算出部１０２ｉは、レーダ走査角度に基づいて、素子から放射した電波の方向ベクトルを算出する電波方向ベクトル算出手段である。
【０１２６】
また、物体交点算出部１０２ｊは、電波の方向ベクトルを持ち、素子の位置を通過する直線と、周波数選択板を組み込んだ物体との交点を算出する物体交点算出手段である。
【０１２７】
また、法線ベクトル算出部１０２ｋは、周波数選択板を組み込んだ物体の交点における法線ベクトルを算出する法線ベクトル算出手段である。
【０１２８】
再び図２に戻り、電力透過率・反射率取得部１０２ｆは、周波数選択板を組み込んだ物体に対する入射角度に基づいて、電力透過率・反射率データベース１０６ａに格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得する電力透過率・反射率取得手段である。ここで、図５は、電力透過率・反射率取得部１０２ｆの構成の一例を示すブロック図である。図５に示すように、電力透過率・反射率取得部１０２ｆは、補間値計算部１０２ｍ、および、電力透過率・反射率計算部１０２ｎを含んで構成されている。
【０１２９】
ここで、補間値計算部１０２ｍは、周波数選択板を組み込んだ物体に対する入射角度に基づいて、電力透過率・反射率データベース１０６ａに格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得できない場合、当該入射角度に近い２つ以上の入射角度に対応する周波数選択板を組み込んだ物体の電力透過率および／または電力反射率の補間値を予め定められた補間手法（例えば、ラグランジュ補間、スプライン補間、離散データ補間などの周知の補間手法）に基づいて計算する補間値計算手段である。
【０１３０】
また、電力透過率・反射率計算部１０２ｎは、周波数選択板を組み込んだ物体に対する入射角度に基づいて、電力透過率・反射率データベース１０６ａに格納した周波数選択板を組み込んだ物体の各位置における各入射角度に対応する電力透過率および／または電力反射率の中から周波数選択板を組み込んだ物体の当該入射角度に対応する電力透過率および／または電力反射率を取得できない場合、周波数選択板を組み込んだ物体の当該入射角度に対応する電力透過率および／または電力反射率を予め定められた計算手法（例えば、モーメント法、スペクトラルドメイン法、ＦＤＴＤ法、ＦＥＭ法など）に基づいて計算する電力透過率・反射率計算手段である。
【０１３１】
再び図２に戻り、電力透過率・反射率統合部１０２ｇは、各素子に対応する周波数選択板を組み込んだ物体の電力透過率および／または電力反射率を予め定められた統合手法（例えば、各素子の開口分布に応じて各素子に対応する周波数選択板を組み込んだ物体の電力透過率および／または電力反射率の重み付け平均をとる手法、各素子から放射する電波の位相を考慮して各素子に対応する周波数選択板を組み込んだ物体の電力透過率および／または電力反射率の和をとる手法など）に基づいて統合する電力透過率・反射率統合手段である。
【０１３２】
また、解析結果出力部１０２ｈは、統合した周波数選択板を組み込んだ物体の電力透過率および／または電力反射率を含む解析結果を出力する解析結果出力手段である。
【０１３３】
なお、これら各部によって行なわれる処理の詳細については、後述する。
【０１３４】
［システムの処理］
次に、このように構成された本実施の形態における本システムの処理の一例について、以下に図６から図８等を参照して詳細に説明する。
【０１３５】
まず、メイン処理の詳細について、図６等を参照して説明する。図６は、本実施形態における本システムのメイン処理の一例を示すフローチャートである。
【０１３６】
まず、周波数選択板組込物体性能解析装置１００は、制御部１０２の処理により、対象となる物体の座標データおよび物理パラメータを読み込み、記憶部１０６の所定の記憶領域に格納する（ステップＳＡ−０）。具体的には、周波数選択板組込物体性能解析装置１００は、制御部１０２の処理により、対象となる物体を分割モデル化するために、対象となる物体の３次元座標データならびに誘電率および構造のうち少なくとも一つを含む物理パラメータを読み込み、記憶部１０６の所定の記憶領域に格納する。
【０１３７】
ついで、周波数選択板組込物体性能解析装置１００は、レーダ走査角度設定部１０２ｂの処理により、レーダが電波を放射する方向を示すレーダ走査角度を設定する（ステップＳＡ−１）。
【０１３８】
ついで、周波数選択板組込物体性能解析装置１００は、電界ベクトル算出部１０２ｃの処理により、ステップＳＡ−１にて設定したレーダ走査角度に基づいて、レーダから放射した電波に対応する電界ベクトルを算出し、レーダ走査角度とともに電界ベクトルファイル１０６ｂの所定の記憶領域に格納する（ステップＳＡ−２）。
【０１３９】
ついで、周波数選択板組込物体性能解析装置１００は、素子設定部１０２ｄの処理により、レーダに含まれる複数の素子の中から１つの素子を設定する（ステップＳＡ−３）。
【０１４０】
ついで、周波数選択板組込物体性能解析装置１００は、入射角度算出部１０２ｅの処理により、ステップＳＡ−３にて設定した素子の位置、および、ステップＳＡ−１にて設定したレーダ走査角度に基づいて、素子から放射した電波の周波数選択板を組み込んだ物体に対する入射角度を算出し、入射角度ファイル１０６ｃの所定の記憶領域に格納する（ステップＳＡ−４）。
【０１４１】
ここで、ステップＳＡ−４において、入射角度算出部１０２ｅは、ステップＳＡ−１にて設定したレーダ走査角度に基づいて、ステップＳＡ−３にて設定した素子から放射した電波の方向ベクトルを算出し、算出した電波の方向ベクトルを持ち、当該素子の位置を通過する直線と、周波数選択板を組み込んだ物体との交点を算出し、算出した周波数選択板を組み込んだ物体の交点における法線ベクトルを算出し、算出した法線ベクトル、および、電波の方向ベクトルに基づいて、当該素子から放射した電波の周波数選択板を組み込んだ物体に対する入射角度を算出してもよい（入射角度算出処理）。
【０１４２】
ここで、入射角度算出部１０２ｅ、電波方向ベクトル算出部１０２ｉ、物体交点算出部１０２ｊ、および、法線ベクトル算出部１０２ｋにて行われる入射角度算出処理について、図７を参照して詳細に説明する。図７は、本実施形態における本システムの入射角度算出処理の一例を示すフローチャートである。
【０１４３】
まず、入射角度算出部１０２ｅは、電波方向ベクトル算出部１０２ｉの処理により、ステップＳＡ−１にて設定したレーダ走査角度に基づいて、ステップＳＡ−３にて設定した素子から放射した電波の方向ベクトルを算出し、入射角度ファイル１０６ｃの所定の記憶領域に格納する（ステップＳＢ−１）。
【０１４４】
ついで、入射角度算出部１０２ｅは、物体交点算出部１０２ｊの処理により、ステップＳＢ−１にて算出した電波の方向ベクトルを持ちステップＳＡ−３にて設定した素子の位置を通過する直線の方程式を算出し、当該直線と周波数選択板を組み込んだ物体との交点を算出し、入射角度ファイル１０６ｃの所定の記憶領域に格納する（ステップＳＢ−２）。
【０１４５】
ついで、入射角度算出部１０２ｅは、法線ベクトル算出部１０２ｋの処理により、ステップＳＢ−２にて算出した周波数選択板を組み込んだ物体の交点における法線ベクトルを算出し、入射角度ファイル１０６ｃの所定の記憶領域に格納する（ステップＳＢ−３）。
【０１４６】
さらに、周波数選択板組込物体性能解析装置１００は、入射角度算出部１０２ｅの処理により、ステップＳＢ−３にて算出した法線ベクトル、および、ステップＳＢ−１にて算出した電波の方向ベクトルに基づいて、ステップＳＡ−３にて設定した素子から放射した電波の周波数選択板を組み込んだ物体に対する入射角度を算出し、入射角度ファイル１０６ｃの所定の記憶領域に格納する（ステップＳＢ−４）。これにて、入射角度算出処理が終了する。
【０１４７】
再び図６に戻り、周波数選択板組込物体性能解析装置１００は、電力透過率・反射率取得部１０２ｆの処理により、周波数選択板を組み込んだ物体の壁の厚さに変化があるか否かを判定し（ステップＳＡ−５）、変化があれば、周波数選択板を組み込んだ物体の壁の厚さを計算する（ステップＳＡ−６）。
【０１４８】
ついで、周波数選択板組込物体性能解析装置１００は、電力透過率・反射率取得部１０２ｆの処理により、ステップＳＡ−４にて算出した周波数選択板を組み込んだ物体に対する入射角度に基づいて、周波数選択板を組み込んだ物体の各位置における各入射角度に対応する電力透過率および／または電力反射率を予め所定の記憶領域に格納した電力透過率・反射率データベース１０６ａの中から、周波数選択板を組み込んだ物体の当該入射角度に対応する電力透過率および／または電力反射率を取得し、取得電力透過率・反射率ファイル１０６ｄの所定の記憶領域に格納する（電力透過率・反射率取得処理）（ステップＳＡ−７）。
【０１４９】
ここで、ステップＳＡ−７において、電力透過率・反射率取得部１０２ｆは、ステップＳＡ−４にて算出した周波数選択板を組み込んだ物体に対する入射角度に基づいて、周波数選択板を組み込んだ物体の各位置における各入射角度に対応する電力透過率および／または電力反射率を予め所定の記憶領域に格納した電力透過率・反射率データベース１０６ａの中から、周波数選択板を組み込んだ物体の当該入射角度に対応する電力透過率および／または電力反射率を取得できない場合、当該入射角度に近い２つ以上の入射角度に対応する周波数選択板を組み込んだ物体の電力透過率および／または電力反射率の補間値を予め定められた補間手法（例えば、ラグランジュ補間、スプライン補間、離散データ補間などの周知の補間手法）に基づいて計算してもよい。
【０１５０】
また、ステップＳＡ−７において、電力透過率・反射率取得部１０２ｆは、ステップＳＡ−４にて算出した周波数選択板を組み込んだ物体に対する入射角度に基づいて、周波数選択板を組み込んだ物体の各位置における各入射角度に対応する電力透過率および／または電力反射率を予め所定の記憶領域に格納した電力透過率・反射率データベース１０６ａの中から、周波数選択板を組み込んだ物体の当該入射角度に対応する電力透過率および／または電力反射率を取得できない場合、周波数選択板を組み込んだ物体の当該入射角度に対応する電力透過率および／または電力反射率を予め定められた計算手法（例えば、モーメント法、スペクトラルドメイン法、ＦＤＴＤ法、ＦＥＭ法など）に基づいて計算してもよい（例えば、周波数選択板を組み込んだ積層構造体（入射角・構造数・偏波）に対して予め定められた計算手法に基づいて電力透過率および／または電力反射率を計算してもよい）。
【０１５１】
ここで、電力透過率・反射率取得部１０２ｆ、補間値計算部１０２ｍ、および、電力透過率・反射率計算部１０２ｎにて行われる電力透過率・反射率取得処理について、図８を参照して詳細に説明する。図８は、本実施形態における本システムの電力透過率・反射率取得処理の一例を示すフローチャートである。
【０１５２】
まず、周波数選択板組込物体性能解析装置１００は、電力透過率・反射率取得部１０２ｆの処理により、ステップＳＡ−４にて算出した周波数選択板を組み込んだ物体に対する入射角度に基づいて、周波数選択板を組み込んだ物体の各位置における各入射角度に対応する電力透過率および／または電力反射率を予め所定の記憶領域に格納した電力透過率・反射率データベース１０６ａの中から、周波数選択板を組み込んだ物体の当該入射角度に対応する電力透過率および／または電力反射率を取得し、取得電力透過率・反射率ファイル１０６ｄの所定の記憶領域に格納する（ステップＳＣ−１）。
【０１５３】
ついで、周波数選択板組込物体性能解析装置１００は、電力透過率・反射率取得部１０２ｆの処理により、ステップＳＡ−４にて算出した周波数選択板を組み込んだ物体に対する入射角度に基づいて、周波数選択板を組み込んだ物体の各位置における各入射角度に対応する電力透過率および／または電力反射率を予め所定の記憶領域に格納した電力透過率・反射率データベース１０６ａの中から、周波数選択板を組み込んだ物体の当該入射角度に対応する電力透過率および／または電力反射率を取得できるか否かを判定する（ステップＳＣ−２）。
【０１５４】
ついで、ステップＳＣ−２にて取得できないと判定された場合、電力透過率・反射率取得部１０２ｆは、補間値計算部１０２ｍの処理により、ステップＳＡ−４にて算出した周波数選択板を組み込んだ物体に対する入射角度に近い２つ以上の入射角度に対応する周波数選択板を組み込んだ物体の電力透過率および／または電力反射率の補間値を予め定められた補間手法（例えば、ラグランジュ補間、スプライン補間、離散データ補間などの周知の補間手法）に基づいて計算し（ステップＳＣ−３）、周波数選択板組込物体性能解析装置１００は、電力透過率・反射率取得部１０２ｆの処理により、ステップＳＣ−３にて計算した補間値をステップＳＡ−４にて算出した周波数選択板を組み込んだ物体に対する入射角度に対応する電力透過率および／または電力反射率として取得し、取得電力透過率・反射率ファイル１０６ｄの所定の記憶領域に格納する（ステップＳＣ−４）。
【０１５５】
また、ステップＳＣ−２にて取得できないと判定された場合、電力透過率・反射率取得部１０２ｆは、電力透過率・反射率計算部１０２ｎの処理により、ステップＳＡ−４にて算出した周波数選択板を組み込んだ物体の入射角度に対応する電力透過率および／または電力反射率を予め定められた計算手法（例えば、モーメント法、スペクトラルドメイン法、ＦＤＴＤ法、ＦＥＭ法など）に基づいて計算し（例えば、周波数選択板を組み込んだ積層構造体（入射角・構造数・偏波）に対して予め定められた計算手法に基づいて電力透過率および／または電力反射率を計算し）（ステップＳＣ−５）、周波数選択板組込物体性能解析装置１００は、電力透過率・反射率取得部１０２ｆの処理により、ステップＳＣ−５にて計算した電力透過率および／または電力反射率を取得し、取得電力透過率・反射率ファイル１０６ｄの所定の記憶領域に格納する（ステップＳＣ−６）。これにて、電力透過率・反射率取得処理が終了する。
【０１５６】
再び図６に戻り、周波数選択板組込物体性能解析装置１００は、制御部１０２の処理により、レーダに含まれる全素子についてステップＳＡ−４〜ＳＡ−７までの処理が終了した場合（ステップＳＡ−８）、電力透過率・反射率統合部１０２ｇの処理により、ステップＳＡ−７にて取得した各素子に対応する周波数選択板を組み込んだ物体の電力透過率および／または電力反射率を予め定められた統合手法（例えば、各素子の開口分布に応じて各素子に対応する周波数選択板を組み込んだ物体の電力透過率および／または電力反射率の重み付け平均をとる手法、各素子から放射する電波の位相を考慮して各素子に対応する周波数選択板を組み込んだ物体の電力透過率および／または電力反射率の和をとる手法など）に基づいて統合し、統合電力透過率・反射率ファイル１０６ｅの所定の記憶領域に格納する（ステップＳＡ−９）。
【０１５７】
なお、周波数選択板組込物体性能解析装置１００は、制御部１０２の処理により、レーダに含まれる全素子についてステップＳＡ−４〜ＳＡ−７までの処理が終了していない場合（ステップＳＡ−８）、ステップＳＡ−３の処理に戻る。
【０１５８】
ついで、周波数選択板組込物体性能解析装置１００は、制御部１０２の処理により、すべてのレーダ走査角度に対してステップＳＡ−２〜ＳＡ−９までの処理が終了した場合（ステップＳＡ−１０）、解析結果出力部１０２ｈの処理により、ステップＳＡ−９にて統合した周波数選択板を組み込んだ物体の、各レーダ走査角度に対応する電力透過率・反射率を含む解析結果を出力装置１１４に出力し、解析結果ファイル１０６ｆの所定の記憶領域に格納する（ステップＳＡ−１１）。
【０１５９】
なお、周波数選択板組込物体性能解析装置１００は、制御部１０２の処理により、すべてのレーダ走査角度に対してステップＳＡ−２〜ＳＡ−９までの処理が終了していない場合（ステップＳＡ−１０）、ステップＳＡ−１の処理に戻る。
【０１６０】
ここで、本実施形態における「物体」は、レドーム（レーダドーム）、電磁窓、通信衛星のリフレクターなどでもよい。
【０１６１】
これにより、周波数選択板を組み込んだレドーム、電磁窓、通信衛星のリフレクターなどの開発において、当該周波数選択板を組み込んだレドーム、電磁窓、通信衛星のリフレクターなどの電力透過率や電力反射率を計算機上のシミュレーションで効率よく解析することができる。
【０１６２】
これにて、メイン処理が終了する。
【０１６３】
［他の実施の形態］
さて、これまで本発明の実施の形態について説明したが、本発明は、上述した実施の形態以外にも、上記特許請求の範囲に記載した技術的思想の範囲内において種々の異なる実施の形態にて実施されてよいものである。
【０１６４】
例えば、周波数選択板組込物体性能解析装置１００がスタンドアローンの形態で処理を行う場合を一例に説明したが、周波数選択板組込物体性能解析装置１００とは別筐体で構成されるクライアント端末からの要求に応じて処理を行い、その処理結果を当該クライアント端末に返却するように構成してもよい。
【０１６５】
また、実施形態において説明した各処理のうち、自動的に行なわれるものとして説明した処理の全部または一部を手動的に行うこともでき、あるいは、手動的に行なわれるものとして説明した処理の全部または一部を公知の方法で自動的に行うこともできる。
この他、上記文書中や図面中で示した処理手順、制御手順、具体的名称、各種の登録データや検索条件等のパラメータを含む情報、画面例、データベース構成については、特記する場合を除いて任意に変更することができる。
【０１６６】
また、周波数選択板組込物体性能解析装置１００に関して、図示の各構成要素は機能概念的なものであり、必ずしも物理的に図示の如く構成されていることを要しない。
【０１６７】
例えば、周波数選択板組込物体性能解析装置１００の各部または各装置が備える処理機能、特に制御部１０２にて行なわれる各処理機能については、その全部または任意の一部を、ＣＰＵ（Ｃｅｎｔｒａｌ  Ｐｒｏｃｅｓｓｉｎｇ  Ｕｎｉｔ）および当該ＣＰＵにて解釈実行されるプログラムにて実現することができ、あるいは、ワイヤードロジックによるハードウェアとして実現することも可能である。なお、プログラムは、後述する記録媒体に記録されており、必要に応じて周波数選択板組込物体性能解析装置１００に機械的に読み取られる。
【０１６８】
すなわち、ＲＯＭまたはＨＤなどの記憶部１０６などには、ＯＳ（Ｏｐｅｒａｔｉｎｇ  Ｓｙｓｔｅｍ）と協働してＣＰＵに命令を与え、各種処理を行うためのコンピュータプログラムが記録されている。このコンピュータプログラムは、ＲＡＭ等にロードされることによって実行され、ＣＰＵと協働して制御部１０２を構成する。また、このコンピュータプログラムは、周波数選択板組込物体性能解析装置１００に対して任意のネットワーク３００を介して接続されたアプリケーションプログラムサーバに記録されてもよく、必要に応じてその全部または一部をダウンロードすることも可能である。
【０１６９】
また、本発明にかかるプログラムを、コンピュータ読み取り可能な記録媒体に格納することもできる。ここで、この「記録媒体」とは、フレキシブルディスク、光磁気ディスク、ＲＯＭ、ＥＰＲＯＭ、ＥＥＰＲＯＭ、ＣＤ−ＲＯＭ、ＭＯ、ＤＶＤ等の任意の「可搬用の物理媒体」や、各種コンピュータシステムに内蔵されるＲＯＭ、ＲＡＭ、ＨＤ等の任意の「固定用の物理媒体」、あるいは、ＬＡＮ、ＷＡＮ、インターネットに代表されるネットワークを介してプログラムを送信する場合の通信回線や搬送波のように、短期にプログラムを保持する「通信媒体」を含むものとする。
【０１７０】
また、「プログラム」とは、任意の言語や記述方法にて記述されたデータ処理方法であり、ソースコードやバイナリコード等の形式を問わない。なお、「プログラム」は必ずしも単一的に構成されるものに限られず、複数のモジュールやライブラリとして分散構成されるものや、ＯＳ（Ｏｐｅｒａｔｉｎｇ  Ｓｙｓｔｅｍ）に代表される別個のプログラムと協働してその機能を達成するものをも含む。なお、実施の形態に示した各装置において記録媒体を読み取るための具体的な構成、読み取り手順、あるいは、読み取り後のインストール手順等については、周知の構成や手順を用いることができる。
【０１７１】
記憶部１０６に格納される各種のデータベース等（電力透過率・反射率データベース１０６ａ〜解析結果ファイル１０６ｆ）は、ＲＡＭ、ＲＯＭ等のメモリ装置、ハードディスク等の固定ディスク装置、フレキシブルディスク、光ディスク等のストレージ手段であり、各種処理やウェブサイト提供に用いる各種のプログラムやテーブルやファイルやデータベースやウェブページ用ファイル等を格納する。
【０１７２】
また、周波数選択板組込物体性能解析装置１００は、既知のパーソナルコンピュータ、ワークステーション等の情報処理端末等の情報処理装置にプリンタやモニタやイメージスキャナ等の周辺装置を接続し、該情報処理装置に本発明の方法を実現させるソフトウェア（プログラム、データ等を含む）を実装することにより実現してもよい。
【０１７３】
さらに、周波数選択板組込物体性能解析装置１００等の分散・統合の具体的形態は明細書および図面に示すものに限られず、その全部または一部を、各種の負荷等に応じた任意の単位で、機能的または物理的に分散・統合して構成することができる（例えば、グリッド・コンピューティングなど）。例えば、各データベースを独立したデータベース装置として独立に構成してもよく、また、処理の一部をＣＧＩ（Ｃｏｍｍｏｎ  Ｇａｔｅｗａｙ  Ｉｎｔｅｒｆａｃｅ）を用いて実現してもよい。
【０１７４】
また、ネットワーク３００は、周波数選択板組込物体性能解析装置１００と外部システム２００とを相互に接続する機能を有し、例えば、インターネットや、イントラネットや、ＬＡＮ（有線／無線の双方を含む）や、ＶＡＮや、パソコン通信網や、公衆電話網（アナログ／デジタルの双方を含む）や、専用回線網（アナログ／デジタルの双方を含む）や、ＣＡＴＶ網や、ＩＭＴ２０００方式、ＧＳＭ方式またはＰＤＣ／ＰＤＣ−Ｐ方式等の携帯回線交換網／携帯パケット交換網や、無線呼出網や、Ｂｌｕｅｔｏｏｔｈ等の局所無線網や、ＰＨＳ網や、ＣＳ、ＢＳまたはＩＳＤＢ等の衛星通信網等のうちいずれかを含んでもよい。すなわち、本システムは、有線・無線を問わず任意のネットワークを介して、各種データを送受信することができる。
【産業上の利用可能性】
【０１７５】
以上のように、本発明にかかる周波数選択板組込物体性能解析装置、周波数選択板組込物体性能解析方法、プログラム、および、記録媒体は、特に、周波数選択板を組み込んだ物体（例えばレドームや電磁窓など）に対して特定の周波数の電波を放射した際の当該周波数選択板を組み込んだ物体の性能（例えば電力透過率・電力反射率など）を計算機上でシミュレーションして解析することができる。
【０１７６】
これにより、本発明にかかる周波数選択板組込物体性能解析装置、周波数選択板組込物体性能解析方法、プログラム、および、記録媒体は、電波解析分野に極めて有用である。また、本発明にかかる周波数選択板組込物体性能解析装置、周波数選択板組込物体性能解析方法、プログラム、および、記録媒体は、産業上多くの分野、特に周波数選択板組込物体の開発を行う、軍事関連、防衛関連、通信関連等の分野で広く実施することができ、極めて有用である。
【図面の簡単な説明】
【０１７７】
【図１】本発明の基本原理を示すフローチャートである。
【図２】本発明が適用される本システムの構成の一例を示すブロック図である。
【図３】本実施形態における電力透過率・反射率データベース１０６ａに格納され          る情報の一例を示す図である。
【図４】入射角度算出部１０２ｅの構成の一例を示すブロック図である。
【図５】電力透過率・反射率取得部１０２ｆの構成の一例を示すブロック図である          。
【図６】本実施形態における本システムのメイン処理の一例を示すフローチャート          である。
【図７】本実施形態における本システムの入射角度算出処理の一例を示すフローチ          ャートである。
【図８】本実施形態における本システムの電力透過率・反射率取得処理の一例を示          すフローチャートである。
【符号の説明】
【０１７８】
１００  周波数選択板組込物体性能解析装置
１０２  制御部
１０２ａ  電力透過率・反射率格納部
１０２ｂ  レーダ走査角度設定部
１０２ｃ  電界ベクトル算出部
１０２ｄ  素子設定部
１０２ｅ  入射角度算出部
１０２ｆ  電力透過率・反射率取得部
１０２ｇ  電力透過率・反射率統合部
１０２ｈ  解析結果出力部
１０２ｉ  電波方向ベクトル算出部
１０２ｊ  物体交点算出部
１０２ｋ  法線ベクトル算出部
１０２ｍ  補間値計算部
１０２ｎ  電力透過率・反射率計算部
１０４  通信制御インターフェース部
１０６  記憶部
１０６ａ  電力透過率・反射率データベース
１０６ｂ  電界ベクトルファイル
１０６ｃ  入射角度ファイル
１０６ｄ  取得電力透過率・反射率ファイル
１０６ｅ  統合電力透過率・反射率ファイル
１０６ｆ  解析結果ファイル
１０８  入出力制御インターフェース部
１１２  入力装置
１１４  出力装置
２００  外部システム
３００  ネットワーク
【図１】
2005274341.tif 000003
【図２】
2005274341.tif 000004
【図３】
2005274341.tif 000005
【図４】
2005274341.tif 000006
【図５】
2005274341.tif 000007
【図６】
2005274341.tif 000008
【図７】
2005274341.tif 000009
【図８】
2005274341.tif 000010